(57)【要約】【課題】ピックアップローラによって、ステージ上に積層された紙葉媒体の最上位の１枚を繰出す紙葉媒体排出構造において、ピックアップローラによる分離が、１枚ずつ確実に分離することができない場合があり、繰出し不良ばかりでなく、送り出し異常が発生して斜め送りになってしまうことがあり、延いてはジャムを発生させたり、複数枚を繰出してしまうという問題がある。【解決手段】ピックアップローラを、正逆回転自在に支持し、紙葉媒体の繰出し方向と反対側に、ステージ上に積層された紙葉媒体の後端と隙間を形成するように背面壁を配置し、ピックアップローラを繰出し方向の正回転とは逆に回転させることによって最上位の紙葉媒体の後端を背面壁に当てるまで移動させ、さらに撓ませることによって、最上位の紙葉媒体だけ確実に次の紙葉媒体から分離させ、その後にピックアップローラを正回転させてその最上位の紙葉媒体を繰出すことを特徴とする。【選択図】        図１
2005263369.tif 000002
【特許請求の範囲】
【請求項１】
ピックアップローラによって、ステージ上に積層された紙葉媒体の最上位の１枚を繰出す紙葉媒体排出構造において、
ピックアップローラを、正逆回転自在に支持し、
紙葉媒体の繰出し方向と反対側に、ステージ上に積層された紙葉媒体の後端との間に間隔を形成させる背面壁を配置し、
紙葉媒体の繰出しに際して、ピックアップローラを繰出し方向の正回転とは逆に回転させ、最上位の紙葉媒体を後方に移動させてその後端を背面壁に当接させ、さらに撓ませて次の紙葉媒体との間に空間を形成することによって最上位の紙葉媒体を次の紙葉媒体から分離させ、その後にピックアップローラを正回転させてその最上位の紙葉媒体を繰出すことを特徴とする紙葉媒体排出構造。
【請求項２】
請求項１において、背面壁を、紙葉媒体収納庫の壁面としたことを特徴とする紙葉媒体排出構造。
【請求項３】
請求項１において、背面壁を、紙葉媒体を積層載置するステージに設けたことを特徴とする紙葉媒体排出構造。
【発明の詳細な説明】
【技術分野】
【０００１】
本発明は、金融機関やコンビニエンスストア等に設置される自動預払機内に実装されている紙幣自動入出金機における紙幣等の紙葉媒体排出構造に関する。
【背景技術】
【０００２】
図８に示すような紙幣自動入出金機の接客部１、一時保留部２、各紙幣収納庫３等にそれぞれ設けてある各紙幣繰出し部４における紙幣排出構造は、図９に示す如く、ピックアップローラ５が繰出し口の近傍に設けられ、このピックアップローラ５に図示しないばね等の押圧手段を有するステージ６によってこれら各部内に収納されている紙幣７は押圧されている。
【０００３】
ピックアップローラ５は、その外周の一部にゴム等の摩擦部材が設けられている。
繰出し口には、フィードローラ８とそれに対向する分離ローラ９があり、この分離ローラ９は各部内へ紙幣を戻す方向のみに回転するようにして構成されている。
このような構成において、紙幣７を１枚ずつ分離して繰出す場合の説明をする。
図９に示す如く、紙幣７はピックアップローラ５に押圧されている。
【０００４】
そこで、図１０に示す如く、ピックアップローラ５とフィードローラ８を繰出し方向に回転させ、ピックアップローラ５に押圧されている最上位の紙幣７をピックアップローラ５の摩擦部材の摩擦力によってフィードローラ８の方向に運び、フィードローラ８とこれに対向している分離ローラ９の間に挟持させて繰出す。
このとき、分離ローラ９は繰出し方向に回転できないために停止しており、ピックアップローラ５によって複数枚の紙幣７が運ばれた際には、分離ローラ９側の紙幣７と分離ローラ９の摩擦力によって、フィードローラ８に接する紙幣７以外は停止させられ、最上位の紙幣７のみが繰出される（例えば、特許文献１参照。）。
【特許文献１】特開２００３−３２７３４０号公報
【発明の開示】
【発明が解決しようとする課題】
【０００５】
しかしながら、上述した従来の技術においては、ピックアップローラによる分離が、特に繰出し紙幣が官封券（使い古されていない新札）の場合、特に紙幣間の密着性が強いために、１枚ずつ分離することができない場合があり、繰出し不良ばかりでなく、送り出し異常が発生して斜め送りになってしまうことがあり、延いてはジャムを発生させたり、複数枚を繰出してしまうという問題がある。
【０００６】
本発明は、上記の問題点を解決するためになされたもので、ピックアップローラによる分離動作を確実にする手段を提供することを目的とする。
【課題を解決するための手段】
【０００７】
そこで本発明は、ピックアップローラによって、ステージ上に積層された紙葉媒体の最上位の１枚を繰出す紙葉媒体排出構造において、ピックアップローラを、正逆回転自在に支持し、紙葉媒体の繰出し方向と反対側に、ステージ上に積層された紙葉媒体の後端と隙間を形成するように背面壁を配置し、紙葉媒体の繰出しに際し、ピックアップローラを繰出し方向の正回転とは逆に回転させることによって最上位の紙葉媒体の後端を背面壁に当てるまで移動させ、さらに撓ませることによって、最上位の紙葉媒体だけ確実に次の紙葉媒体から分離させ、その後にピックアップローラを正回転させてその最上位の紙葉媒体を繰出すことを特徴とする。
【発明の効果】
【０００８】
これにより、本発明は、ピックアップローラの逆回転によって最上位の紙幣の後端を背面壁に当たるまで移動させ、さらに撓ませることによって、確実に最上位の紙幣だけを分離させることができるという効果が得られる。また、ジャムの発生や斜め送りをなくすことができることになる。
【発明を実施するための最良の形態】
【０００９】
以下に、図面を参照して本発明の実施例を説明する。
なお、以下の説明において、上記の従来技術の説明と同様の部位は同一の符号を用いて説明する。
図１は本発明の実施例を示す説明図である。
ピックアップローラ１０が接客部、一時保留部、各紙幣収納庫等の各種収納庫の繰出し口の近傍に設けられ、このピックアップローラ１０に、図示しないばね等の押圧手段を有するステージ６によって各種の収納庫内に収納されている紙幣７は押圧されている。
【００１０】
ピックアップローラ１０は、正逆回転自在に支持され、その外周の一部にゴム等の摩擦部材が設けられている。
繰出し口には、フィードローラ８とそれに対向する分離ローラ９があり、この分離ローラ９は収納庫内へ紙幣を戻す方向のみに回転するようにして構成されている。
また、収納庫の繰出し口に対向する背面壁１１は、ステージ６に積層載置された紙幣７の後端から多少の間隔Ｓが生じる位置となるようにステージ６との距離が保たれている。
【００１１】
なお、背面壁１１は、図７に示す如く、ステージ６の後部に間隔Ｓを形成する背面壁１１をステージの後部に一体に構成してもよい。この場合、この背面壁１１はステージ６が上昇するときに上昇の邪魔にならないように上下方向に移動可能にしておいてもよく、この場合、ばね等で上方向に弾発力で支持しておき、ステージ６の上昇によって背面壁１１がストッパ等に当接するとステージ６の上昇に伴って背面壁が降下するような構造でもよい。
【００１２】
上記の構成による紙幣の繰出しの作用を説明する。
図１に示す如く、ステージ６上の紙幣７は図示しないばね等によってピックアップローラ１０に押圧されている。
そこで、まず図２に示す如く、ピックアップローラ１０を繰出し方向の正回転と逆の方向に回転させる。このとき、フィードローラ８および分離ローラ９も回転させるが、必ずしもこのときでなくてもよく、繰出し時に間に合う時であればいつでもよい。
【００１３】
このピックアップローラ１０の回転によって図３に示す如く、ピックアップローラ１０に押圧されている最上位の紙幣７はピックアップローラ１０の摩擦部材の摩擦力によって繰出し方向と逆の方向に移動し、紙幣７の後端を背面壁１１に当たることにより１次分離する。
さらに、ピックアップローラ１０は回転を続け、それにより、図４に示す如く、紙幣７の背面壁１１に突き当たった後端から紙幣７のピックアップローラ１０の接触部までの間、一般的にはピックアップローラの直後に撓みが生じ、下の紙幣７との間に空間１２が形成されてそこに空気が取込まれて密着状態が解除されることになり、これが２次分離となる。
【００１４】
このようにピックアップローラ１０を一定時間回転させた後、紙幣７が撓わせたままの状態で図５に示す如く、ピックアップローラ１０の回転を停止する。
この停止後、ピックアップローラ１０を今度は繰出し方向の正回転をさせることにより、その最上位の紙幣７を引いてフィードローラ８側に移動させることによって、前記空間１２が延びると共にその空間１２内の空気が紙幣の移動に伴って最上位の紙幣と下の紙幣との間に順次にひろがって３次分離させて確実に１枚だけを繰出すことができる。
【００１５】
なお、上記でフィードローラ８および分離ローラ９の回転を開始させていない場合には、このピックアップローラ１０の回転再開時にフィードローラ８および分離ローラ９の回転を開始させてもよい。
繰出された紙幣７は、図６に示す如く、フィードローラ８とこれに対向している分離ローラ９の間に挟持させて繰出す。
【００１６】
このとき、分離ローラ９は繰出し方向に回転できないために停止しており、ピックアップローラ１０によって複数枚の紙幣７が運ばれた際には、分離ローラ９側の紙幣７と分離ローラ９の摩擦力によって、フィードローラ８に接する紙幣７以外は停止させられ、ピックアップローラ１０によって分離された最上位の紙幣７のみが繰出されることになる。
以上の説明の如く、本発明によると、ピックアップローラ１０の逆回転によって最上位の紙幣の後端を背面壁に当たるまで移動させ、さらに撓ませることによって、確実に最上位の紙幣だけを分離させることができるものである。
【００１７】
なお、上記説明は各種収納庫に収納された紙幣を繰出す場合で説明したが、本発明はそのような紙幣に限るものではなく、積層された紙葉媒体を確実に１枚ずつ繰出す構造のすべてに利用することができるものである。
【図面の簡単な説明】
【００１８】
【図１】実施例を示す説明図
【図２】作動状態を示す説明図
【図３】作動状態を示す説明図
【図４】作動状態を示す説明図
【図５】作動状態を示す説明図
【図６】作動状態を示す説明図
【図７】背面壁をステージに設けた説明図
【図８】紙幣自動入出金機の説明図
【図９】紙幣繰出し部の作動状態を示す説明図
【図１０】紙幣繰出し部の作動状態を示す説明図
【符号の説明】
【００１９】
１  接客部
２  一時保留部
３  各紙幣収納庫
４  紙幣繰出し部
６  ステージ
７  紙幣
８  フィードローラ
９  分離ローラ  
１０  ピックアップローラ
１１  背面壁
１２  空間
【図１】
2005263369.tif 000003
【図２】
2005263369.tif 000004
【図３】
2005263369.tif 000005
【図４】
2005263369.tif 000006
【図５】
2005263369.tif 000007
【図６】
2005263369.tif 000008
【図７】
2005263369.tif 000009
【図８】
2005263369.tif 000010
【図９】
2005263369.tif 000011
【図１０】
2005263369.tif 000012